(57)【要約】【課題】放電管への絶縁性の弾性部材の取り付けが容易で、放電管から光反射体への電流のリークを有効に回避できるとともに、照明効率が高く、且つ生産効率にも優れる照明装置を提供することを目的とする。【解決手段】放電管１と、放電管１から発せられる光を反射する光反射体４と、光反射体４で反射された光を受光面５ａで受光して内部に導光し、導光された光を出射面５ｂから外部に向けて出射する板状の導光体５とが設けられ、放電管１には、放電管と光反射体４との間に隙間を設けるべく絶縁性を有する弾性部材２が嵌合されてなる照明装置において、弾性部材２は、放電管１が嵌合される嵌合孔２ａと、嵌合孔と連通する切欠き部３とを有し、切欠き部３に放電管１を挿通させることで放電管１に嵌合可能に構成されてなる。【選択図】  図１
2005019003.tif 000002
【特許請求の範囲】
【請求項１】
放電管と、この放電管から発せられる光を反射する光反射体と、この光反射体で反射された光を受光面で受光して内部に導光し、導光された光を出射面から外部に向けて出射する板状の導光体とが設けられ、前記放電管と前記光反射体との間に隙間を設けるべく絶縁性を有する弾性部材が前記放電管に嵌合されてなる照明装置において、前記弾性部材は、前記放電管が嵌合される嵌合孔と、この嵌合孔と連通する切欠き部とを有し、この切欠き部に前記放電管を通過させることにより前記放電管に嵌合可能に構成されていることを特徴とする照明装置。
【発明の詳細な説明】
【０００１】
【発明の属する技術分野】
本発明は、照明装置に関し、詳しくは、液晶表示装置のバックライト等に好適に用いられる照明装置に関する。
【０００２】
【従来の技術】
従来より、パーソナルコンピュータ、ワードプロセッサ等の液晶表示装置のバックライトとして、図６に示すように、板状に形成された透明なアクリル樹脂製の板状の導光体５の受光面５ａに、例えば光源である線状の冷陰極放電管１から発せられる光の一部を光反射傘（光反射体）４で反射し、この反射光を受光面５ａを通して導光体５の内部に導光させ、導光された光を導光体５の下面に対向して配置した光反射板６で反射させ、反射された光を導光体５の上面から外部に向けて出射する照明装置が使用されている。
【０００３】
この照明装置において、点灯のために冷陰極放電管１に高周波電流が供給されるが、その高周波電流が光反射傘４を介してリーク（漏洩）し、冷陰極放電管１の輝度を低下させる問題があった。
【０００４】
この問題を改善するために、図７に示すように、絶縁性の弾性材料で作成されたＯリング１３を冷陰極放電管１（ガラスバルブ両端部に電極端子１１が封止されている）に所定間隔を置いて複数個取り付け、Ｏリング１３によって陰極放電管１と光反射体６（図６参照）との間に隙間を設けることによって、前記したリーク現象を回避する技術が特許文献１に開示されている。
【０００５】
【特許文献１】
実用新案登録第２５３４６３４号公報
【０００６】
【発明が解決しようとする課題】
しかしながら、上記したＯリング１３は、取り付けに際して冷陰極放電管１の端部から取付位置まで挿入せねばならず、またＯリングをガラスバルブに強固に固定するために、Ｏリングの内径はガラスバルブの外径より小さくされているので、取り付けが困難であり、また、取り付け時にＯリング１３と冷陰極放電管１のガラスバルブとの擦れ合いによりガラスバルブの表面が汚れて冷陰極放電管１の輝度を低下させることがあった。
【０００７】
一方、冷陰極放電管１への取り付けを容易化するため、Ｏリング１３の肉厚を薄くすると、Ｏリング１３が捩れたり、切断したりして照明装置の生産効率を低下させる問題を生じた。
【０００８】
本発明は、上述した問題に鑑みてなされたものであり、放電管への弾性部材の取り付けが容易となり、放電管から光反射体への電流のリークを有効に回避できるとともに、照明効率が高く、且つ生産効率にも優れる照明装置を提供することを目的とする。
【０００９】
【課題を解決するための手段】
本発明に係る照明装置は、放電管と、この放電管から発せられる光を反射する光反射体と、この光反射体で反射された光を受光面で受光して内部に導光し、導光された光を出射面から外部に向けて出射する板状の導光体とが設けられ、前記放電管と前記光反射体との間に隙間を設けるべく絶縁性を有する弾性部材が前記放電管に嵌合されてなる照明装置において、前記弾性部材は、前記放電管が嵌合される嵌合孔と、この嵌合孔と連通する切欠き部とを有し、この切欠き部に前記放電管を通過させることにより前記放電管に嵌合可能に構成されていることを特徴とする。
【００１０】
上記構成によれば、光源への弾性部材の取り付けが極めて容易で、ガラスバルブの表面の汚れによる輝度低下を来たすことがない照明装置を提供することができる。
【００１１】
【発明の実施の形態】
以下、本発明に係る照明装置の実施の形態について図面を参照しながら説明する。図１は、本実施形態に係る照明装置の要部断面図である。
【００１２】
図において、本発明の照明装置は、光源としての線状の冷陰極放電管１と、冷陰極放電管１から発せられる光を反射する光反射傘（光反射体）４と、光反射傘４で反射された光を受光面５ａで受光して内部に導光し、導光された光を出射面５ｂから外部に向けて出射する板状の導光体５とが設けられている。
【００１３】
かかる導光体５は、アクリル樹脂やポリカーボネート樹脂等を成型してなる透明性を有する板状体であって、この導光体５の一の端面が受光面５ａを形成し、上面が出射面５ｂを形成している。そして、この受光面５ａに近接して冷陰極放電管１が配設されている。また、導光体５の近傍には、その下面に対向するように光反射板６が配設されている。導光体５の下面は、断面視において、出射面５ｂに対して冷陰極放電管１の軸方向と直交する方向に傾斜しており、導光体５の断面形状は、他の端面に向けて先細りの楔形となっている。
【００１４】
さらに、導光体５の出射面５ｂに対向して照射装置から出射される光を制御する光制御部材９が配設されており、光制御部材９は、導光体５からの出射光を拡散する光拡散板７と、光方向を制御するプリズムシート（集光シート）８とがこの順で積層されて構成されている。
【００１５】
光反射傘４は、光を効率よく反射し得るように、例えば光沢があるアルミニウム製の板材を略Ｕ字形に曲げて形成されており、冷陰極放電管１の周りを包囲し、冷陰極放電管１から照射される光が漏れ出ないように、Ｕ字の開口部分４ａ，４ｂをそれぞれ導光体５および光制御部材９の端部の間、導光体５および光反射板６の端部の間に挟持されて、導光体５の受光面５ａを覆うように取り付けられている。
【００１６】
また、本実施の形態の照明装置においては、冷陰極放電管１には、弾性部材２が冷陰極放電管１に嵌合されている。弾性部材２は、その形状が略リング状であり、冷陰極放電管１に所定間隔をおいて複数個（例えば、３個）取り付けられている。また、弾性部材２は冷陰極放電管１の軸方向に移動させることにより、弾性部材２の相互の位置関係が調節可能となっている。この弾性部材２によって冷陰極放電管１と光反射傘４との間に隙間が設けられており、この隙間によって冷陰極放電管１から光反射傘４への高周波電流のリークが防止されている。
【００１７】
かかる弾性部材２の全体図を図２に示す。弾性部材２は、ゴム製の部材、具体的にはシリコンゴム製であって、その中央部に断面円形状の嵌合孔２ａを有している。図１において、弾性部材２は、嵌合孔２ａに冷陰極放電管１のガラスバルブが挿通されることで冷陰極放電管１に嵌合されている。また、弾性部材２は、嵌合孔２ａと連通する切欠き部３を有している。
【００１８】
その弾性部材２を冷陰極放電管１に取り付けるには、弾性部材２を指で把持して矢印１０，１０の方向に引っ張って嵌合孔２ａを広げ、嵌合孔２ａとともに広がった切欠き部３から冷陰極放電管１を挿通させて、図３に示すように冷陰極放電管１を弾性部材２の嵌合孔２ａに嵌合すればよい。
【００１９】
以上の方法により、冷陰極放電管１に弾性部材２を容易に取り付けることができ、その取り付けの際に弾性部材２と冷陰極放電管１のガラスバルブとの擦れ合いによりガラスバルブ表面が汚れて冷陰極放電管１の輝度低下を招くといったことがない。
【００２０】
また、弾性部材２は冷陰極放電管のガラスバルブに容易に取付けることができるので、弾性部材２の材料を肉厚で丈夫に形成することができるので、取付時に捩れたり、また切断したりすることがなく、弾性部材２の損傷による照明装置の生産歩留まりの低下がなく、照明装置の生産効率を維持することができる。
【００２１】
尚、本発明の照明装置は、上記した実施形態に限定されるものではなく、本発明の要旨を逸脱しない範囲で種種変更を加え得ることは勿論である。
【００２２】
上述した本実施の形態の照明装置は、光源として１本の冷陰極放電管１を用いているが、図４に示すように一対（複数本）の冷陰極放電管１，１を光源とする照明装置であってもよい。この照明装置においては、図５に示すように、一対の嵌合孔２ａ，２ａを有し、嵌合孔２ａ，２ａにそれぞれ連通した切欠き部３，３を有する弾性部材１２が用いられており、この嵌合孔２ａ，２ａにそれぞれ冷陰極放電管１，１のガラスバルブが挿通されることで弾性部材１２を冷陰極放電管１，１に嵌合することができる。なお、図４に示す照明装置において、図１と対応する部材には同じ符号を付してその説明を省略する。
【００２３】
弾性部材１２を冷陰極放電管１に取り付けるには、図５に示すように、弾性部材１２を指で把持して矢印１０，１０の方向に各嵌合孔２ａを広げ、嵌合孔２ａ，２ａとともに広がった切欠き部３，３にそれぞれ冷陰極放電管１，１を挿通させて、冷陰極放電管１，１を弾性部材１２の嵌合孔２ａ，２ａに嵌合すればよい。以上の方法により、冷陰極放電管１，１に弾性部材１２を容易に取り付けることができる。
【００２４】
また、本実施形態では、光源として冷陰極放電管１を用いたが、光源は冷陰極放電管１に限定されるものではなく、光反射傘（光反射体）へのリーク電流が問題となる他の放電管にも適用できることは勿論である。
【００２５】
さらに、本実施の形態における導光体５は、その断面形状が楔形の形状としたが、導光体５は、例えば断面形状が矩形状の平板状に構成することもできる。
【００２６】
【発明の効果】
以上のように、本発明の照明装置によれば、光源への弾性部材の取り付けが容易となり、光源から光反射体への電流のリークを有効に回避できるとともに、照明効率が高く、且つ生産効率にも優れたものとなる。
【図面の簡単な説明】
【図１】本発明の照明装置の実施形態を示す要部断面図
【図２】本発明の照明装置に使用される弾性部材の全体図
【図３】図２の弾性部材が冷陰極放電管に取付けられた状態を示す斜視図
【図４】本発明に係る照明装置の他の実施形態を示す要部断面図
【図５】図４にかかる照明装置に使用される弾性部材の斜視図
【図６】従来例の照明装置の概略断面図
【図７】従来例に係る弾性部材が冷陰極放電管に取付けられた状態を示す斜視図
【符号の説明】
１  冷陰極放電管
２  弾性部材
２ａ  嵌合孔
３  切欠き部
４  光反射傘（光反射体）
５  導光体
５ａ  受光面
５ｂ  出射面
６  光反射板
７  光拡散板
８  プリズムシート
９  光制御部材
１０  矢印
１１  電極端子
１２  弾性部材
【図１】
2005019003.tif 000003
【図２】
2005019003.tif 000004
【図３】
2005019003.tif 000005
【図４】
2005019003.tif 000006
【図５】
2005019003.tif 000007
【図６】
2005019003.tif 000008
【図７】
2005019003.tif 000009